(57)【要約】【課題】回収口近傍にある飾り部材のベース面積を縮小することなく、かつ回収口へのファール球の回収率が高める。【解決手段】打球発射装置１００の回転レバー１０６の駆動により、発射球待機ユニット１１４に待機されていたパチンコ球Ｐを発射した際、外バンド３６と内バンド３７との間まで至ったが、遊技領域４０まで至らず、戻ってくるファール球と、次に発射されたパチンコ球とが空間で衝突し、予期せぬ方向へ散乱した場合、このファール球の一部をレール飾り３９に設けた流入口３９Ｂへ流入させ、レール飾り３９の内方の案内路３９Ｄを介して流出口３９Ｅから排出する構造としたため、案内トンネル１２２の右側に位置するファール球回収口１３０を有効に機能させることができ、ファール球が案内トンネル１２２へ戻され、球噛みを発生することを抑制することができる。【選択図】　　　　図４
2004016278.tif 000002
【特許請求の範囲】
【請求項１】
発射された遊技球が遠心力によって案内路の外周側の案内面に沿って遊技盤面まで案内されるように構成された発射部において、
前記遊技球の案内路が球径よりも幅広に形成され、当該遊技球の連続発射時に、先に発射した遊技球が前記遊技盤面へ至らず、後に発射された遊技球と前記案内路で当接することで発生するイレギュラーな移動軌跡となる遊技球を、予め設定した回収口へ案内する案内手段を設けたことを特徴とする遊技球回収構造。
【請求項２】
前記案内手段が、前記遊技盤面に取付けられ、前記回収口の回収開口に対向配置された飾り部材であり、前記飾り部材の前記案内路面側の側壁の一部が切削されて前記遊技球の流入路が形成され、かつ前記回収口の開口との対向面が開口され前記遊技球の流出路が形成されていることを特徴とする請求項１記載の遊技球回収構造。
【発明の詳細な説明】
【０００１】
【発明の属する技術分野】
本発明は、発射された遊技球が遠心力によって案内路の外周側の案内面に沿って遊技盤面まで案内されるように構成された発射部を備えたアウト球回収構造に関するものである。
【０００２】
【従来の技術及び発明が解決しようとする課題】
従来より、遊技機、特にパチンコ機において、発射装置からパチンコ球を発射し、案内路に案内させて、遊技盤面まで送り出すようにしている。
【０００３】
この発射装置において、案内路までは至るが、遊技盤面まで至らなかったパチンコ球（ファール球）は、所定の回収口から回収される構造となっている。
【０００４】
従来、このファール球を回収する構造としては、発射装置と、発射されたファール球を回収する回収口とを相互に近づけて本体枠の特定箇所に寄せて偏在させ、回収口を発射装置の設置位置よりも外側或いは左側に設けた構造が提案されている（特開２００１−２３１９３８公報並びにその分割出願（特開２００１−２３１９３６号公報）参照）。
【０００５】
上記先行技術では、内レールの最上端、遊技領域近くで発生したファール球に関しては有効な構造であるが、落下途中のまだファール球回収口に回収しきれないパチンコ球が、次に連続的に発射されたパチンコ球と衝突すると、ベニア飾り等の発射装置の回収口近傍にある飾り部材に当たり、回収口が本来の機能を発揮できず、発射装置に戻ってしまう欠点がある。
【０００６】
また、一度発射装置にファール球が戻ると、球詰まりが発生し、復帰までに時間を要することになる。遊技盤の正面に向かって左下部に発射装置があり、ほぼ直上にパチンコ球を発射する上記先行技術等の構造を持つパチンコ機では、上下方向の落差が大きいため、上記復帰にさらに時間を要する。
【０００７】
なお、飾り部材は、パチンコ機の検査シール等の貼り付けベースとしての機能を持っており、遊技盤面外、かつ見え易い場所として配置位置が制限され、ベース面積も縮小することができない。このため、回収口を大きくとることと、飾り部材を最適に位置に配設することとは、二律背反の関係にある。
【０００８】
本発明は上記事実を考慮し、回収口近傍にある飾り部材のベース面積を縮小することなく、かつ回収口へのファール球の回収率が高めることができるファール球回収構造を得ることが目的である。
【０００９】
【課題を解決するための手段】
請求項１記載の発明は、発射された遊技球が遠心力によって案内路の外周側の案内面に沿って遊技盤面まで案内されるように構成された発射部において、前記遊技球の案内路が球径よりも幅広に形成され、当該遊技球の連続発射時に、先に発射した遊技球が前記遊技盤面へ至らず、後に発射された遊技球と前記案内路で当接することで発生するイレギュラーな移動軌跡となる遊技球を、予め設定した回収口へ案内する案内手段を設けたことを特徴としている。
【００１０】
請求項１記載の発明によれば、回収口の開口部近傍は、スペース的にせまく、開口したのみでは、ファール球の回収率が低い。そこで、イレギュラーの移動軌跡で発射部へ戻ってくるファール球を、案内手段によって確実に回収口へ案内させる構造とし、ファール球の回収口への回収率を向上させた。これにより、回収口の近傍に設置せざるを得ない部材を小型化したり、別の場所に移動させたりする必要がなく、狭いスペースを有効利用することができる。また、上記案内手段によって回収口への回収率を向上させることで、発射部の発射位置に複数の遊技球が貯まり、所謂球詰まりを起こすことを軽減することができる。
【００１１】
請求項２に記載の発明は、前記請求項１に記載の発明において、前記案内手段が、前記遊技盤面に取付けられ、前記回収口の回収開口に対向配置された飾り部材であり、前記飾り部材の前記案内路面側の側壁の一部が切削されて前記遊技球の流入路が形成され、かつ前記回収口の開口との対向面が開口され前記遊技球の流出路が形成されていることを特徴としている。
【００１２】
請求項２に記載の発明によれば、回収口の近傍には、この回収口の近傍で機能を発揮する飾り部材が配設されている。この飾り部材の側壁が回収口への回収率を低下させる原因となっている。そこで、この側壁の一部を切削して流入路を形成し、回収口との対向面を開口して流出路を形成し、飾り部材の内方空間を遊技球の回収口への回収案内路とすることで、飾り部材の平面的な面積を小さくすることなく、回収口の開口部近傍を広げることができる。
【００１３】
【発明の実施の形態】
図１及び図２には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。内枠１４の窓部には、所定の間隔で互いに平行とされた一対のガラス１６をガラスフレーム１８に装着したガラス枠２０の一側部が開閉可能に取付けられており、このガラス枠２０と内枠１４は、内枠１４の他側部（図１の右辺部）に設けられた施錠装置（シリンダ）２２により施錠されるようになっている。
【００１４】
ガラス枠２０の下方位置には、パチンコ機本体内の賞球払出装置から賞球払出口２３を通して払い出された賞球や貸球を貯留して打球発射装置へと誘導する球皿部２４を備えた一体皿２６が配設されている。
【００１５】
一体皿２６は、その一側部（図１の左辺部）が内枠１４に対して開閉可能に取付けられている。一体皿２６の前面には、左側下部に灰皿２８が配置され、右側下部には打球発射装置（図示省略）から発射する打球の飛距離を調整するための発射ハンドル３０が設けられている。
【００１６】
また内枠１４の窓部には、遊技盤載置台に載せて交換可能とされた遊技盤３２が窓部に対応して設置されている。
【００１７】
遊技盤３２は、ベニヤ板３３の表面に、合成樹脂製の薄肉シート状セル３４が貼着されている。また、前記セル３４が貼着された盤面３２Ａには、外バンド３６及び内バンド３７とレール飾り３８、３９とによって囲まれた略円形状の遊技領域４０が形成されており、セル３４の表面で遊技領域４０と対応する範囲には、背景画像や各種キャラクター画像等を含む装飾画（図示省略）が印刷されている。
【００１８】
遊技領域４０には、特別図柄表示装置４２や大入賞口（変動入賞装置）４４等の役物、始動口４６や入賞口４８、風車５０等の遊技部品と、左右側端部に配置されたサイド飾り５２Ａ、５２Ｂが取り付けられており、最下位置にアウト口５４が配置されている。
【００１９】
また遊技盤３２の右側端部に配置されたレール飾り３８の右下隅には、証紙５６を貼り付た証紙台５８が取り付けられており、この証紙台５８は、左方に配置されたヒンジ板６０に支持されて、盤面３２Ａに対して開閉動するようになっている。また、レール飾り３９には、その表面のほぼ前面に亘り、別の証紙５９が貼着されている。
【００２０】
なお、本実施形態のパチンコ機１０は、打球発射装置１００（図３参照）を遊技盤３２の左側下方に配置して遊技球を上方に発射する機種であり、従来機種に比べ、アウト口５４の位置を下げることにより遊技領域４０が拡大されている。
【００２１】
またパチンコ機１０の正面には、図２に示すように、ガラス枠２０の前面に、賞球表示灯や完了表示灯等の機能を有する複数の表示灯６２、６３がガラス１６を取り囲むように配列されており、左上隅近傍と右側端上部に、遊技の効果音を発生するスピーカー６４、６６が配置されている。
【００２２】
図３には、打球発射装置１００並びにその周辺の拡大図が示されている。
【００２３】
打球発射装置１００は、前述の如く、遊技盤３２の正面に向かって左側下方に配置されており、矩形のプレート１０２を基盤として構成されている。
【００２４】
プレート１０２の一部からは回転軸１０４が手前に突出され、略Ｖ字型のノックアーム１０６の鋭角屈曲部に固定されている。
【００２５】
回転軸１０４は、図示しない駆動源（ソレノイド等）により所定角度の範囲で往復回転するようになっており、この回転に応じてノックアーム１０６も回転する。
【００２６】
ノックアーム１０６の前記鋭角屈曲部を起点として長アーム１０６Ａの先端には、杵先１０８が取り付けられている。杵先１０８の軸線は、前記駆動源の回転接線方向に向けられている。
【００２７】
また、この長アーム１０６Ａの背部には、ゴム製のストッパ１１０がブラケット１１２を介してプレート１０２に固定されており、ノックアーム１０６の待機位置を決めている。
【００２８】
前記回転軸１０４の近傍には、発射球待機ユニット１１４が配設されている。発射球待機ユニット１１４には、前記杵先１０８の移動軌跡上に図示しない案内レールからパチンコ球Ｐが１個ずつ送り込まれるようになっている。この送り込まれたパチンコ球Ｐは、ガイドプレート１１６と、前記案内レールから送り出し１１８を構成するリブ１２０とによって保持されるようになっている。保持されたパチンコ球Ｐの下部は開口されており、前記ノックアーム１０６の回転時に前記杵先１０８が当接するようになっている。この当接によって、パチンコ球Ｐは上方に弾き飛ばされ、内枠１４に形成された案内トンネル１２２を通過して、前記外バンド３６と内バンド３７との間へ至るようになっている。
【００２９】
また、前記内枠１４に形成された案内トンネル１２２の左右には、ファール球回収口１２８、１３０がそれぞれ設けられている。このファール球回収口１２８、１３０は、外バンド３６と内バンド３７との間まで至り、かつ遊技領域４０まで至らずに戻って来たパチンコ球Ｐを回収する役目を有している。
【００３０】
ここで、本実施の形態では、図４に示される如く、右側のファール球回収口１３０の直上に配設されたレール飾り３９の側壁３９Ａ（外バンド３６に対向する面）の上部を切削し、パチンコ球Ｐが流入可能な流入口３９Ｂを設けている。また、このレール飾り３９の内部には、当該側壁と対向するリブ３９Ｃが形成されており、このリブ３９Ｃと、側壁３９Ａとで囲まれた空間が、パチンコ球Ｐの案内路３９Ｄとして機能するようになっている。
【００３１】
さらに、レール飾り３９の下面における、側壁３９Ａとリブ３９Ｃとの間が切削され、パチンコ球Ｐが流出する流出口３９Ｅが形成されている。
【００３２】
通常、ファール球は自然落下であるため、図４の左側のファール球回収口１２８によって回収されることが多いが、戻ってくるパチンコ球Ｐ（ファール球）と、この戻って来ているときに発射されたパチンコ球Ｐとが、空間で衝突すると、これらのパチンコ球Ｐは思わぬ方向へ散乱する場合がある。
【００３３】
このような場合、右側のファール球回収口１３０の開口の一部が、前記レール飾り３９によって遮られ、ファール球回収という本来の機能を十分に発揮していない。また、レール飾り３９は、その表面に証紙５９が貼着されているため、外形を小さくしたり、位置の移動ができない。
【００３４】
そこで、上記のようにレール飾り３９に流入口３９Ｂ及び流出口３９Ｅを設けることで、右側のファール球回収口１３０を有効に活用する構造としている。
【００３５】
以下に本実施の形態の作用を説明する。
【００３６】
遊技者がハンドル３０を把持し、発射のための操作を行なうと、このハンドル操作量（回転量）に応じた強度で、ノックアーム１０６が所定の角度で往復回転する。
【００３７】
このとき、球皿部２４から発射球待機ユニット１１４へ１個ずつ送られて、所定の位置に保持されているパチンコ球Ｐを杵先１０８によって打ち出す。
【００３８】
打ち出されたパチンコ球Ｐは、ガイドプレート１１６とリブ１２０との間を通過し、内枠１４に形成された案内トンネル１２２へ弾き出される。案内トンネル１２２へ弾き出されたパチンコ球Ｐは、外バンド３６と内バンド３７との間を通過して遊技領域４０へと至る。
【００３９】
ここで、外バンド３６と内バンド３７との間まで届くが、遊技領域４０まで届かないパチンコ球Ｐは、ファール球となって自然落下してくる。この自然落下するファール球の軌跡はある程度予測でき、通常は案内トンネル１２２に向かって左側のファール球回収口１２８によって回収される。すなわち、通常では、次に発射されるパチンコ球Ｐとの干渉が回避され、速やかにファール球回収口１２８へ回収することができる。
【００４０】
ところが、外バンド３６と内バンド３７との間まで至り戻ってくるファール球と、次に発射されるパチンコ球Ｐの発射タイミングがある確率で一致すると、パチンコ球Ｐ同士が空間で衝突し、双方ファール球となってそれぞれが思わぬ方向へ散乱し、ファール球回収口１２８、１３０で回収できなくなる場合がある。特に、右側のファール球回収口１３０は、その開口の一部がレール飾り３９によって遮られた構造であるため、十分な回収機能を発揮できない。
【００４１】
この場合、従来は、ファール球が隣接する案内トンネル１２２へ戻り、ガイドプレート１１６とリブ１２０との間に戻され、パチンコ球Ｐを保持する領域で球噛みが発生する可能性があった。
【００４２】
そこで、本実施の形態では、従来、レール飾り３９の存在で、十分に機能していなかった案内トンネル１２２の右側に位置するファール球回収口１３０を有効利用するべく、レール飾り３９の外バンド３６に対向する側壁３９Ａの上部を開口しパチンコ球Ｐの流入口３９Ｂとした。また、レール飾り３９の内方における側壁３９Ａと、リブ３９Ｃとの間をパチンコ球Ｐの案内路３９Ｄとすると共に、前記ファール球回収口１３０の開口と対向するレール飾り３９の下面を開口し、流出口３９Ｅとした。
【００４３】
すなわち、外バンド３６と内バンド３７との間、並びにその周辺において、パチンコ球Ｐ同士が衝突して、思わぬ方向へ散乱したパチンコ球Ｐを、レール飾り３９の流入口３９Ｂから流入させ、流出口３９Ｅから排出させる。これにより、案内トンネル１２２の右側のファール球回収口１３０を有効に利用することができ、案内トンネル１２２にパチンコ球Ｐが戻る確率を極めて低くすることができる。
【００４４】
以上説明したように、本実施の形態では、打球発射装置１００のノックアーム１０６の駆動により、発射球待機ユニット１１４に待機されていたパチンコ球Ｐを発射した際、外バンド３６と内バンド３７との間まで至ったが、遊技領域４０まで至らず、戻ってくるファール球と、次に発射されたパチンコ球Ｐとが空間で衝突し、予期せぬ方向へ散乱した場合、このファール球の一部をレール飾り３９に設けた流入口３９Ｂへ流入させ、レール飾り３９の内方の案内路３９Ｄを介して流出口３９Ｅから排出する構造としたため、案内トンネル１２２の右側に位置するファール球回収口１３０を有効に機能させることができ、ファール球が案内トンネル１２２へ戻され、球噛みを発生することを抑制することができる。
【００４５】
なお、本実施の形態では、レール飾り３９の外観形状を全く変えずに、ファール球の回収率を高める構造とするために、案内手段としてレール飾り３９に流入口３９Ｂと流出口３９Ｅとを設けたが、このレール飾り３９の外観形状を変更しないという条件は必須ではない。従って、右側のファール球回収口１３０によるファール球の回収率を高める構造であれば、レール飾り３９を小型化し、案内手段として、案内トンネル１２２と右側のファール球回収口１３０との間に隔壁１３２を設置してもよいし（変形例１、図５参照）、案内トンネル１２２の開口に、一対の板ばね１３４、１３６を花のつぼみの如く対向配置させ、案内トンネル１２２への逆流を防止する構造としてもよい（変形例２、図６参照）。
【００４６】
【発明の効果】
以上説明した如く本発明では、回収口近傍にある飾り部材のベース面積を縮小することなく、かつ回収口へのファール球の回収率が高めることができるという優れた効果を有する。
【図面の簡単な説明】
【図１】本実施の形態に係るパチンコ機の斜視図である。
【図２】本実施の形態に係るパチンコ機の正面図である。
【図３】本実施の形態に係る打球発射装置及びその周辺の拡大図である。
【図４】本実施の形態に係るレール飾り（正面向かって左側）の内部構造を示す断面図である。
【図５】変形例１に係る案内トンネル近傍の正面図である。
【図６】変形例２に係る案内トンネル近傍の正面図である。
【符号の説明】
１０　　パチンコ機
１２　　外枠
１４　　内枠
３０　　ハンドル
３０　　発射ハンドル
３２　　遊技盤
３６　　外バンド
３７　　内バンド
３９　　レール飾り
３９Ａ　　側壁
３９Ｂ　　流入口
３９Ｃ　　リブ
３９Ｄ　　案内路
３９Ｅ　　流出口
４０　　遊技領域
５９　　証紙
１００　　打球発射装置
１０２　　プレート
１０４　　回転軸
１０６　　ノックアーム
１０６Ａ　　長アーム
１０８　　杵先
１１０　　ストッパ
１１２　　ブラケット
１１４　　発射球待機ユニット
１１６　　ガイドプレート
１２０　　リブ
１２２　　案内トンネル
１２８　　ファール球回収口
１３０　　ファール球回収口
【図１】
2004016278.tif 000003
【図２】
2004016278.tif 000004
【図３】
2004016278.tif 000005
【図４】
2004016278.tif 000006
【図５】
2004016278.tif 000007
【図６】
2004016278.tif 000008